(57)【要約】【課題】カメラヘッド等の周囲を被覆する滅菌ドレープの取り外しを容易に行いうる、滅菌ドレープ用切断器具を提供すること。【解決手段】本発明の滅菌ドレープ用切断器具は、内視鏡が着脱可能に接続される内視鏡装置のカメラヘッドの内視鏡接続部に着脱可能に接続される装着部と、前記装着部より延出する本体部と、前記本体部の一部に設けられ、前記カメラヘッドおよび前記カメラヘッドの基端側に接続されているケーブルの周囲を覆う滅菌ドレープを切断する切断部と、を備える。【選択図】図１
2020156612.tif 000002
【特許請求の範囲】
【請求項１】
内視鏡が着脱可能に接続されるカメラヘッドの内視鏡接続部に着脱可能に接続される装着部と、
前記装着部より延出する本体部と、
前記本体部の一部に設けられ、前記カメラヘッドおよび前記カメラヘッドの基端側に接続されているケーブルの周囲を覆う滅菌ドレープを切断する切断部と、
を備える滅菌ドレープ用切断器具。
【請求項２】
前記本体部は、保持部を有し、
前記切断部は、前記本体部のうち前記装着部と前記保持部との間の領域に設けられる
請求項１に記載の滅菌ドレープ用切断器具。
【請求項３】
前記本体部は、
前記装着部から前記装着部の軸心方向に延出する第１の本体部と、
前記第１の本体部から前記装着部の軸心方向以外の方向に延出する第２の本体部とを有し、
前記保持部は、前記第２の本体部に設けられる
請求項２に記載の滅菌ドレープ用切断器具。
【請求項４】
前記切断部は刃物であり、前記刃物の先端部は前記本体部の外周表面より内側に配置されている請求項１〜３のいずれか一つに記載の滅菌ドレープ用切断器具。
【発明の詳細な説明】
【技術分野】
【０００１】
本発明は、滅菌ドレープ用切断器具に関する。
【背景技術】
【０００２】
従来、医療分野や工業分野において、人や機械構造物等の被検体内を観察する内視鏡装置が知られている。体内に挿入される内視鏡は、使用に際し滅菌処理を行っているが、内視鏡が接続されるカメラヘッドは、滅菌することなく周囲を滅菌されたドレープで覆った状態で使用される場合がある（例えば、特許文献１〜３参照）。
【先行技術文献】
【特許文献】
【０００３】
【特許文献１】特開２０１４−１１３２４３号公報
【特許文献２】米国特許第５２７４５００号明細書
【特許文献３】米国特許出願公開第２００２／０１３３０５８号明細書
【発明の概要】
【発明が解決しようとする課題】
【０００４】
手術後、カメラヘッド等の周囲から滅菌ドレープを取り外す際、カメラヘッド本体から延出するケーブル側から先端側に滅菌ドレープを押し出すように取り外そうとすると、滅菌ドレープが押し縮められた状態となり、取り外しが容易でない。
【０００５】
また、カメラヘッドの内視鏡への接続部側から滅菌ドレープを引き抜くように取り外す場合、カメラヘッド本体を把持することができないため、カメラヘッドに振動や摩擦等の影響を与えないように引き抜くのは容易ではない。
【０００６】
本発明は、上記に鑑みてなされたものであって、カメラヘッド等の周囲を被覆する滅菌ドレープの取り外しを容易に行いうる、滅菌ドレープ用切断器具を提供することを目的とする。
【課題を解決するための手段】
【０００７】
上述した課題を解決し、目的を達成するために、本発明にかかる滅菌ドレープ用切断器具は、内視鏡が着脱可能に接続されるカメラヘッドの内視鏡接続部に着脱可能に接続される装着部と、前記装着部より延出する本体部と、前記本体部の一部に設けられ、前記カメラヘッドおよび前記カメラヘッドの基端側に接続されているケーブルの周囲を覆う滅菌ドレープを切断する切断部と、を備える。
【０００８】
また、本発明にかかる滅菌ドレープ用切断器具は、上記発明において、前記本体部は、保持部を有し、前記切断部は、前記本体部のうち前記装着部と前記保持部との間の領域に設けられる。
【０００９】
また、本発明にかかる滅菌ドレープ用切断器具は、上記発明において、前記本体部は、前記装着部から前記装着部の軸心方向に延出する第１の本体部と、前記第１の本体部から前記装着部の軸心方向以外の方向に延出する第２の本体部とを有し、前記保持部は、前記第２の本体部に設けられる。
【００１０】
また、本発明にかかる滅菌ドレープ用切断器具は、上記発明において、前記切断部は刃物であり、前記刃物の先端部は前記本体部の外周表面より内側に配置されている。
【発明の効果】
【００１１】
本発明の滅菌ドレープ用切断器具は、装着部をカメラヘッド本体に接続、固定した状態で、カメラヘッドの周囲を覆う滅菌ドレープを切断しながら引き抜くことができるので、取り外しが容易になるとともに、カメラヘッドへの振動等による影響を低減することができるという効果を奏する。
【図面の簡単な説明】
【００１２】
【図１】図１は、本発明の実施の形態１に係る滅菌ドレープ用切断器具の概略構成を示す図である。
【図２】図２は、滅菌ドレープを使用した内視鏡装置におけるカメラヘッドの概略構成図である。
【図３】図３は、図１の滅菌ドレープ用切断器具の使用状態を示す図である。
【図４】図４は、本発明の実施の形態１の変形例１に係る滅菌ドレープ用切断器具の概略構成を示す図である。
【図５】図５は、本発明の実施の形態２に係る滅菌ドレープ用切断器具の概略構成を示す図である。
【図６】図６は、本発明の実施の形態２の変形例１に係る滅菌ドレープ用切断器具の概略構成を示す図である。
【発明を実施するための形態】
【００１３】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１４】
（実施の形態１）
図１は、本発明の実施の形態１に係る滅菌ドレープ用切断器具１の概略構成を示す図である。図２は、滅菌ドレープ４０を使用した内視鏡装置１００におけるカメラヘッド２０の概略構成図である。図３は、図１の滅菌ドレープ用切断器具１の使用状態を示す図である。
【００１５】
滅菌ドレープ用切断器具１は、内視鏡装置１００のカメラヘッド２０の内視鏡接続部２２に着脱可能に接続される装着部２と、装着部２より延出する本体部３と、本体部３の一部に設けられ、カメラヘッド本体２１およびカメラヘッド本体２１の基端側に接続されているケーブル３０の周囲を覆う滅菌ドレープ４０を切断する切断部４と、本体部３に設けられる保持部５と、を備える。なお、図１では、本体部３が装着部２と保持部５との間の領域に設けられる場合を例示しているが、これに限られるわけではなく、例えば保持部５を本体部３の途中に設けてもよい。
【００１６】
内視鏡装置１００は、図２に示すように、内視鏡１０と、カメラヘッド２０と、ケーブル３０と、滅菌ドレープ４０と、を備える。図示していないが、内視鏡１０にはライトガイドを介して光源装置により照明光が供給されている。
【００１７】
内視鏡１０は、硬性鏡で構成されている。すなわち、内視鏡１０は、全体が硬質、または一部が軟質で他の部分が硬質である細長形状を有し、生体内に挿入される。内視鏡１０は、挿入部１１と、接眼部１２とを備える。挿入部１１は、直線状に延在し、生体内に挿入される部分である。この挿入部１１内には、１または複数のレンズを用いて構成され、被写体から発した光を取り込む対物光学系と、その光を接眼部１２へ伝送する伝送光学系（図示略）が設けられている。接眼部１２は、挿入部１１の基端に設けられ、挿入部１１から伝送されてきた光を出射する接眼光学系（図示略）が内蔵されており、カメラヘッド２０の内視鏡接続部２２と着脱可能に接続される。
【００１８】
カメラヘッド２０は、内部に撮像素子等が気密または水密に収納された密閉部を有するカメラヘッド本体２１と、先端側には内視鏡１０と着脱自在に接続される内視鏡接続部２２と、を備える。カメラヘッド本体２１は、図示しない制御装置による制御の下、内視鏡１０から伝送された被写体からの光を結像することで被写体像を撮像し、当該撮像による撮像信号を出力する。
【００１９】
ケーブル３０は、一端がコネクタを介して制御装置に着脱自在に接続され、他端はカメラヘッド本体２１から延出している。ケーブル３０は、カメラヘッド本体２１から出力される撮像信号等を制御装置に伝送するとともに、制御装置から出力される制御信号、同期信号、クロック、及び電力等をカメラヘッド本体２１にそれぞれ伝送する。
【００２０】
滅菌ドレープ４０は、カメラヘッド本体２１およびケーブル３０を滅菌せずに手術に使用する際に使用され、内視鏡１０の接眼部１２、カメラヘッド本体２１およびケーブル３０の周囲を覆うことにより、滅菌環境を保持する。滅菌ドレープ４０は、透明、かつ可撓性を有する筒状のドレープ本体４１と、滅菌ドレープ４０を内視鏡１０に固定するテープ４２と、を有する。滅菌ドレープ４０は、ドレープ本体４１の基端側の径が大きい開口部４１ｂを内視鏡１０の挿入部１１側から被せ、先端側の径が小さい開口部４１ａを内視鏡１０の接眼部１２の周囲に位置するように被せたのち、開口部４１ａの周囲にテープ４２を貼り合わせて位置止めする。ドレープ本体４１は、ナイロンやポリオレフィン等で作製されている。滅菌ドレープ４０は、一般には滅菌状態の単回使用品として販売されており、使用後は廃棄される。
【００２１】
続いて、本発明の実施の形態１に係る滅菌ドレープ用切断器具１を使用した滅菌ドレープ４０の内視鏡装置１００からの取り外しについて説明する。図３は、図１の滅菌ドレープ用切断器具の使用状態を示す図である。
【００２２】
まず、滅菌ドレープ４０を内視鏡１０に固定するテープ４２を取り外し、内視鏡１０を内視鏡接続部２２から取り外す。その後、内視鏡１０の接眼部１２が取り外された内視鏡接続部２２に滅菌ドレープ用切断器具１の装着部２を接続する。装着部２は、内視鏡の接眼部１２と互換する形状をしており、たとえばＩＳＯ／ＴＳ１８３３９：２０１５で指定されたような形状をしている。
【００２３】
滅菌ドレープ用切断器具１の保持部５を保持した状態で、図３に矢印で示すように、ドレープ本体４１をななめ上部に引き上げて、ドレープ本体４１の下部を切断部４で切断しながら、ドレープ本体４１を引き抜くようにカメラヘッド本体２１およびケーブル３０の周囲から取り外す。
【００２４】
切断部４は、本体部３のうち装着部２と保持部５との間の領域に設けられる。また、刃物により構成されているが、刃物に限定されるものではなく、例えば、熱により滅菌ドレープ４０を溶融切断するものであってもよい。また、切断部４を刃物で構成する場合、刃物の先端部は本体部３の外周表面より内側に配置することが好ましい。切断部４の先端部を本体部３の外周表面より内側に配置することにより、切断部４による切創等を防止することができる。切断部４は術者が把持した際に術者の指が到達し難い構成になっていることが望ましい。例えば、切断部４の露出している幅や、本体部３の外周表面からの距離は、ＩＳＯ１３８５７に示される安全基準を満たしていることが望ましい。
【００２５】
保持部５には、保持を容易にする凹凸部５ａが形成されていることが好ましいが、必ずしも凹凸部５ａを設ける必要はない。また、本実施の形態１では、手で保持することを目的として保持部５を設けているが、保持部５は必ずしも手で保持するものに限定されるものではない。例えば、壁や、架台等に固定することを目的とした保持部であってもよい。係る場合、滅菌ドレープ用切断器具にフランジ状の保持部を設け、壁等の固定対象にフランジを嵌合等により固定する固定部を設けることにより、滅菌ドレープ用切断器具を固定すればよい。壁等の固定物に滅菌ドレープ用切断器具を固定することにより、両手でドレープ本体４１を引き抜くことができ、引き抜きが容易となる。
【００２６】
本発明の実施の形態１に係る滅菌ドレープ用切断器具１は、切断部４によりドレープ本体４１を切断しながら引き抜くため、ドレープ本体４１の引き抜きを容易に行うことができる。また、滅菌ドレープ用切断器具１を内視鏡接続部２２に接続固定した状態で、滅菌ドレープ４０の取り外しを行うため、ドレープ本体４１を引く際のカメラヘッド２０への振動や摩擦の影響を低減でき、カメラヘッド２０の故障を防止することができる。
【００２７】
上記の実施の形態１では、滅菌ドレープ用切断器具１の本体部３は、装着部２から直線上に延出しているが、折り曲げた構造であってもよい。図４は、本発明の実施の形態１の変形例１に係る滅菌ドレープ用切断器具１Ａの概略構成を示す図である。
【００２８】
滅菌ドレープ用切断器具１Ａにおいて、本体部３Ａは、装着部２の軸心方向に延出する第１の本体部３ａと、第１の本体部３ａから略直交する方向に延出する第２の本体部３ｂと、を有する。切断部４Ａは、第２の本体部３ｂの装着部２側の外周部に設けられている。滅菌ドレープ用切断器具１Ａでは、保持部５は、第１の本体部３ａから略鉛直方向に延出する第２の本体部３ｂから延出して設けられる。カメラヘッド本体２１と保持部５とが略直交するため、保持部５の保持が容易となり、また、ドレープ本体４１を斜め上方向に引き上げることなく切断部４とドレープ本体４１とを接触させることができ、切断が容易となる。なお、滅菌ドレープ用切断器具１Ａでは、第２の本体部３ｂは第１の本体部３ａと略直交する方向に延出しているが、これに限らず装着部２の軸心方向以外の方向に延出していればよい。こうすることで、本体部が折り曲がり、ドレープ本体４１の切断が容易となる。
【００２９】
（実施の形態２）
図５は、本発明の実施の形態２に係る滅菌ドレープ用切断器具１Ｂの概略構成を示す図である。滅菌ドレープ用切断器具１Ｂにおいて、本体部３Ｂには、２つの切断部４Ｂが設けられている。切断部４Ｂは、本体部３Ｂの延出方向に並んで形成されている。切断部４Ｂを２つ設けることにより、一方の切断部４Ｂがなまって、ドレープ本体４１の切れが悪くなった場合に、他方の切断部４Ｂにより続けて切断を行うことが可能となる。
【００３０】
また、切断部は同じ方向に２つ並べて配置するほか、本体部の径方向の反対側に対向するように配置してもよい。図６は、本発明の実施の形態２の変形例１に係る滅菌ドレープ用切断器具１Ｄの概略構成を示す図である。滅菌ドレープ用切断器具１Ｄにおいて、本体部３Ｄには、図６に示すように、上下方向に対向する位置に切断部４Ｄを設けている。本体部３Ｄを回転可能とし、一方の切断部４Ｄがなまって、ドレープ本体４１の切れが悪くなった場合に、本体部３Ｄを回転させて他方の切断部４Ｄを同じ位置に配置させることにより、続けて切断を行うことが可能となる。
【符号の説明】
【００３１】
１、１Ａ、１Ｂ、１Ｄ  滅菌ドレープ用切断器具
２  装着部
３、３Ａ、３Ｂ、３Ｄ  本体部
３ａ  第１の本体部
３ｂ  第２の本体部  
４、４Ａ、４Ｄ  切断部
５  保持部
５ａ  凹凸部
１０  内視鏡
１１  挿入部
１２  接眼部
２０  カメラヘッド
２１  カメラヘッド本体
２２  内視鏡接続部
３０  ケーブル
４０  滅菌ドレープ
４１  ドレープ本体
４２  テープ
１００  内視鏡装置
【図１】
2020156612.tif 000003
【図２】
2020156612.tif 000004
【図３】
2020156612.tif 000005
【図４】
2020156612.tif 000006
【図５】
2020156612.tif 000007
【図６】
2020156612.tif 000008